(57)【要約】【課題】吸排水した後に残る水の量を少なくする複合ホースを提供する。【解決手段】内径の大きな大ホース１０と、大ホースよりも内径の小さな小ホース２０と、大ホース１０と小ホース２０のそれぞれの流路を合流させる合流部３０と、合流部３０よりも吸水側で大ホース１０の流路を遮断する遮断部４０とを備え、大ホース１０の吸水側の端部に小ホース２０を保持する保持部が設けられ、小ホース２０は、保持部から下方向に延長される延長部分を備える。【選択図】図１
2020159515.tif 000002
【特許請求の範囲】
【請求項１】
内径の大きな大ホースと、
前記大ホースよりも内径の小さな小ホースと、
前記大ホースと前記小ホースのそれぞれの流路を合流させる合流部と、
前記合流部よりも吸水側で前記大ホースの流路を遮断する遮断部と
を備えることを特徴とする複合ホース。
【請求項２】
前記大ホースの吸水側の端部に前記小ホースを保持する保持部が設けられ、
前記小ホースは、前記保持部から下方向に延長される延長部分を
備えることを特徴とする請求項１に記載の複合ホース。
【請求項３】
前記大ホースと前記小ホースの吸水側の先端部分を覆う濾過部を備え、
前記延長部分は、
前記保持部と吸水側で対向する前記濾過部との間隔よりも短い長さである
ことを特徴とする請求項２に記載の複合ホース。
【請求項４】
前記小ホースの吸水側の端部又は最端部に、該小ホースの内部の液体の逆流を防止する逆流防止弁が配置される
ことを特徴とする請求項１乃至３の何れかに記載の複合ホース。
【請求項５】
前記小ホースの吸水側の端部又は最端部に錘が配置される
ことを特徴とする請求項１乃至４の何れかに記載の複合ホース。
【発明の詳細な説明】
【技術分野】
【０００１】
本発明は、例えばマンホール内の水を吸水して外部に排水する技術に関する。
【背景技術】
【０００２】
例えば、地下ケーブル等を保守するためには、マンホール内での作業が必要となる。マンホール内には、降雨等によって水が流入し水が溜まる場合がある。マンホール内に溜まった雨水は、例えば非特許文献１に開示された方法で排水する必要がある。この方法は、地上に配置された排水ポンプで水を吸い上げて、マンホール内で作業ができるようにする。
【先行技術文献】
【非特許文献】
【０００３】
【非特許文献１】［平成３１年３月１３日検索］、「マンホール排水作業の安全性および周囲環境に配慮した排水アタッチメントの考案」、インターネット＜URL: http://www.ntt.co.jp/journal/0812/files/jn200812048.pdf＞
【発明の概要】
【発明が解決しようとする課題】
【０００４】
しかしながら、非特許文献１に開示された排水方法は、排水ポンプを停止させると4〜5mに及ぶホース内部の水が逆流し、相当量の水が残ってしまうという課題がある。その残った水は、作業者が柄杓等でバケツに掬い取る必要があり、時間と手間がかかる。
【０００５】
本発明は、この課題に鑑みてなされたものであり、吸排水した後に残る水の量を少なくできる複合ホースを提供することを目的とする。
【課題を解決するための手段】
【０００６】
本発明の一態様に係る複合ホースは、内径の大きな大ホースと、前記大ホースよりも内径の小さな小ホースと、前記大ホースと前記小ホースのそれぞれの流路を合流させる合流部と、前記合流部よりも吸水側で前記大ホースの流路を遮断する遮断部とを備えることを要旨とする。
【発明の効果】
【０００７】
本発明によれば、吸排水した後に残る水の量を少なくすることができる。
【図面の簡単な説明】
【０００８】
【図１】本発明の第１実施形態に係る複合ホースの外観例を模式的に示す図である。
【図２】図１に示す複合ホースを用いて、例えばマンホール内の水を吸排水する場合の複合ホースの先端部分の断面を模式的に示す図である。
【図３】複合ホースの吸水側の先端が水平の姿勢になった場合の複合ホースの先端部分の様子を模式的に示す図である。
【図４】図３に示す保持部を少し排水側に移動させた例を模式的に示す図である。
【図５】保持部を大ホースの外周に設けた例を模式的に示す図である。
【図６】本発明の第２実施形態に係る小ホースの先端部分の断面の構成例を模式的に示す図である。
【図７】本発明の第３実施形態に係る複合ホースの遮断部と合流部の部分の断面を模式的に示す図である。
【図８】図７に示す複合ホースの変形例を示す図である。
【図９】本発明の第４実施形態に係る複合ホースの吸水側の先端部分の構造の断面を模式的に示す図である。
【発明を実施するための形態】
【０００９】
以下、本発明の実施形態について図面を用いて説明する。複数の図面中同一のものに
は同じ参照符号を付し、説明は繰り返さない。
【００１０】
〔第１実施形態〕
図１は、本発明の第１実施形態に係る複合ホースの外観例を模式的に示す図である。図１に示す複合ホース１００は、例えばマンホールの内部に溜まった水（以降、液体）を吸水して地上に排水する場合に用いられる。
【００１１】
図１に示すように、複合ホース１００は、大ホース１０、小ホース２０、合流部３０、遮断部４０、及び分岐部５０を備える。分岐部５０は無くても構わない。分岐部５０を具備しない例については後述する。
【００１２】
図１において、小ホース２０の先端が大ホース１０から飛び出している側が吸水側である。その吸水側の反対が排水側である。排水側の大ホース１０の先は例えば排水ポンプ（図示せず）に接続される。
【００１３】
大ホース１０は内径が大きい。小ホースは大ホースよりも内径が小さい。図１に示すように小ホース２０は、大ホースの中に挿通させても良い。なお、小ホース２０は、大ホース１０の中に挿通させなくても良い。
【００１４】
合流部３０は、大ホース１０と小ホース２０のそれぞれの流路を合流させる。合流させた先の排水側の流路は、大ホース１０の流路のみとなる。
【００１５】
遮断部４０は、合流部３０よりも吸水側で大ホースの流路を遮断する。遮断部４０は、例えば、一般的なボール弁で構成される。その場合、ボール弁のレバーハンドル４１を時計方向に90度回転させて大ホース１０の流路を遮断する。
【００１６】
なお、遮断部４０は、バルブ（弁）を用いずに構成することも可能である。例えば、分岐部５０と合流部３０の間の大ホースを、万力のようなもので潰してその流路を遮断するようにしても良い。
【００１７】
以上説明したように本実施形態に係る複合ホース１００は、内径の大きな大ホース１０と、大ホース１０よりも内径の小さな小ホース２０と、大ホース１０と小ホース２０のそれぞれの流路を合流させる合流部３０と、合流部３０よりも吸水側で大ホース１０の流路を遮断する遮断部４０とを備える。これにより、液体を吸排水した後の例えばマンホール内に残る液体の量を少なくすることができる。
【００１８】
（吸水方法）
図２は、本実施形態の複合ホース１００を用いて、例えばマンホール内の液体を吸排水する場合の複合ホース１００の先端部分（吸水側）の断面を模式的に示す図である。図２において、参照符合１はマンホールの底を表す。参照符合２は、マンホールの底に溜まった液体を表す。
【００１９】
図２に示すように、複合ホース１００の吸水側の先端部分は、例えば小ホース２０の先端が大ホース１０の先端より飛び出している。大ホース１０の先端より飛び出している部分を、以降、延長部分２０ａと称する。
【００２０】
そして、この例は、大ホース１０の吸水側の端部に小ホース２０の保持部１１が設けられる。なお、保持部１１は無くても構わない。
【００２１】
保持部１１を備えることによって、保持部１１から吸水側の小ホース２０の姿勢を一定にすることができる。また、保持部１１を支点に、小ホース２０の延長部分２０ａは自在に向きを変えることができる。
【００２２】
このように、例えば、大ホース１０の吸水側の端部に小ホース２０を保持する保持部１１が設けられ、小ホース２０は、保持部１１から下方向に延長される延長部分２０ａを備える。これにより、液体を吸排水した後の例えばマンホール内に残る液体の水位を低くすることができる。つまり吸排水した後に残る液体の量を少なくすることができる。
【００２３】
複合ホース１００を用いた吸水方法を具体的に説明する。その吸水方法は、始めに、大ホース１０と小ホース２０の両方で吸水する第１吸水過程を実行する。大ホース１０の先端部分まで水位が低くなる直前、又は直後に、作業者は遮断部４０の例えばレバーハンドル４１を90度回転させて大ホース１０の流路を遮断する。大ホース１０の流路が遮断され、大ホ−ス内に空気が侵入すると、大ホース１０の吸水側の圧力が一気に低下し、大ホース１０の内部の液体はマンホールに逆流する。
【００２４】
一方、小ホース２０の延長部分２０ａは、大ホース１０の先端よりも吸水側に位置するので、大ホース１０を逆流した液体は小ホース２０によって吸水（第２吸水過程）され続ける。小ホース２０による吸水は、水位が小ホース２０の先端に達するまで行われる。
【００２５】
このように、小ホース２０は、保持部１１から下方向に延長される延長部分２０ａを備えることによって、より低い水位まで吸水することが可能になる。つまり、大ホース１０の先端と、延長部分２０ａの先端との差分だけより多くの液体を（低い水位まで）吸水することができる。
【００２６】
このことは図３に示すように、複合ホース１００の吸水側の先端がマンホールの底１に対して水平の姿勢になった場合でも同じである。この場合、延長部分２０ａは重力によって下方向に湾曲する。小ホース２０が保持部１１で固定され、先に曲がりやすい素材で構成された延長部分２０ａを接続し、延長部分２０ａは下方向に曲がるので低い水位まで吸水することができる。なお、延長部分２０ａは、小ホースの先端の外径Ｄ２０が大ホースの最下部の外径Ｄ１０の高さに達する長さ以下にすると良い。
【００２７】
図３に示すように、延長部分２０ａを、小ホースの先端の外径Ｄ２０が大ホースの最下部の外径Ｄ１０の高さに達する長さにすると、マンホールの底１に近い水位まで吸水することができる。つまり、吸排水した後に残る液体の量を最小にすることができる。
【００２８】
なお、延長部分２０ａの長さをそれ以上にすると、延長部分２０ａの先端が例えばマンホールの壁に当たって上を向く場合がある。その場合、小ホース２０の先端の位置が高くなり、高い水位で小ホースによる吸水ができなくなる。よって、延長部分２０ａの長さは、小ホースの先端の外径Ｄ２０が大ホースの最下部の外径Ｄ１０の高さに達する長さ以下にするのが好ましい。
【００２９】
図４は、保持部１１を大ホース１０の先端よりも少し排水側に設けた例を示す。この場合、小ホースの先端の外径Ｄ２０が大ホース１０の最下部の内径ｄ１０の高さに到達する長さ以下にすると、大ホース１０の最下部側の内径ｄ１０の水位まで吸水することができる。
【００３０】
このように延長部分２０ａを備えることで、延長部分２０ａがない場合よりも低い水位まで吸水することが可能になる。なお、図５に示すように、保持部１１は、大ホース１０の外周に設けても良い。
【００３１】
図５は、保持部１１を、大ホース１０の外周に設けた例を示す。この場合、図３と同様に、小ホース２０の先端の外径Ｄ２０が大ホース１０の最下部の外径Ｄ１０の高さに達する長さにすると、マンホールの底１に近い水位まで吸水することができる。
【００３２】
つまり、延長部分２０ａは、小ホース２０の先端の外径Ｄ２０が大ホース１０の最下部の外径Ｄ１０の高さに到達する長さ以下、又は小ホース２０の先端の外径Ｄ２０が大ホース１０の最下部の内径ｄ１０の高さに到達する長さ以下である。これにより、延長部分２０ａを備えない複合ホースよりも低い水位まで吸水することができる。
【００３３】
ここで、到達する長さ以下とは、延長部分２０ａの長さ＝0を含む。延長部分２０ａの長さが0で有っても、図３に示すように複合ホース１００の吸水側の先端が水平になった場合、小ホース２０は大ホース１０よりも低い水位まで吸水できる。また、多少でも延長部分２０ａの長さが有れば、複合ホース１００の先端部分が垂直（図２）になった場合に、延長部分２０ａの長さ分、低い水位まで吸水することができる。このように到達する長さ以下は、0を含む。
【００３４】
〔第２実施形態〕
図６は、本発明の第２実施形態に係る複合ホースの小ホース２０の先端部分の断面の構成例を模式的に示す図である。図６に示す複合ホース１１０は、逆流防止弁６０を備える点で複合ホース１００と異なる。
【００３５】
図６において、大ホース１０、合流部３０、遮断部４０、及び分岐部５０の表記は省略している。複合ホース１１０の表記を省略した部分の構成は、複合ホース１００（図１等）と同じである。
【００３６】
逆流防止弁６０は、大径部６１、小径部６２、傾斜部６３、ボール弁６４、及び移動留め部材６５を備える。この例は、逆流防止弁６０の先端に錘７０が配置される。なお、錘７０は無くても構わない。錘７０については後述する。
【００３７】
大径部６１は、小ホース２０の先端に差し込まれる。大径部６１と小ホース２０は、大径部６１の外側からリング状の留め具（図示せず）で留められる。又は、防水気密テープを巻き付けて固定しても良い。
【００３８】
小径部６２は、大径部６１よりも径が小さい。小径部６２と大径部６１は傾斜部６３を介して一体化されている。
【００３９】
ボール弁６４は、大径部６１の内部に収容され、排水側の圧力が吸水側の圧力よりも高い場合、図６に示すように外周を傾斜部６３に押し付け小径部６２の流路を遮断する。ボール弁６４は、例えば硬質ゴムで形成される。つまり、排水側の圧力が高くなると、ボール弁６４によって、小ホース２０の内部の液体の逆流が遮断される。
【００４０】
移動留め部材６５は、ボール弁６４が排水側の圧力が低い場合（吸水時）に、排水側に移動することを抑止する。逆に排水側の圧力が高い場合、ボール弁６４は吸水側に短く移動して小径部６２の流路を遮断する。
【００４１】
よって、液体の液面（水面）が、小径部６２の高さに達し、吸水側の圧力が低下すると、ボール弁６４は直ちに小径部６２の流路を遮断する。したがって、小ホース２０の内部の液体は逆流しない。
【００４２】
以上説明したように、本実施形態に係る複合ホース１１０は、小ホース２０の吸水側の最端部（延長部分２０ａの吸水側の端部）に、小ホース２０の内部の液体の逆流を防止する逆流防止弁６０が配置される。これにより、小ホース２０の内部の液体が逆流しないので、複合ホース１００よりも更に吸排水後に残る液体の量を少なくすることができる。
【００４３】
なお、逆流防止弁６０は、小ホース２０の吸水側の最端部に配置しなくても良い。例えば、小ホース２０の延長部分２０ａが始まる付近（小ホース２０の端部）に配置するようにしても良い。ここで、小ホース２０の端部とは、図４に示す保持部１１の位置付近を意味する。
【００４４】
保持部１１（図４）の位置に逆流防止弁６０を配置した場合に逆流する液体の量は、延長部分２０ａの部分のみであるため微量である。よって、逆流防止弁６０を小ホース２０の吸水側の最端部に配置した場合と同等の作用効果が得られる。
【００４５】
このように、逆流防止弁６０は、小ホース２０の吸水側の端部に配置しても良い。つまり、小ホース２０の吸水側の端部又は最端部に、該小ホース２０の内部の液体の逆流を防止する逆流防止弁が配置される。これにより、複合ホース１００よりも更に吸排水後に残る液体の量を少なくすることができる。
【００４６】
（錘）
図６に示すように、逆流防止弁６０の吸水側の最端部に錘７０を配置するようにしても良い。錘７０は、逆流防止弁６０の小径部６２にネジ込まれて固定されている。
【００４７】
逆流防止弁６０の吸水側の最端部に錘７０を配置することにより、小ホース２０の先端は、保持部１１を支点に最下部に配置させることができる。その結果、低い水位まで吸水することが可能になる。
【００４８】
なお、錘７０を、逆流防止弁６０の小径部６２にネジ込む構成を示したが、本実施形態はこの例に限定されない。例えば、逆流防止弁６０を構成する大径部６１、傾斜部６３、及び小径部６２を金属で構成させ、逆流防止弁６０そのものを錘にしても良い。
【００４９】
また、保持部１１（図４）に代えて、小ホース２０の延長部分２０ａが始まる付近（小ホース２０の端部）の外側に錘７０を配置するようにしても良い。小ホース２０の端部の
外側部分に錘７０を配置すれば、延長部分２０ａの先端部分は、大ホース１０の最下部に位置する。したがって、錘７０を、小ホース２０の吸水側の最端部に配置した場合と同じ作用効果が得られる。つまり、錘７０は、小ホース２０の吸水側の端部又は最端部に配置されれば良い。
【００５０】
〔第３実施形態〕
図７は、本発明の第３実施形態に係る複合ホースの遮断部４０と合流部３０の部分の断面を模式的に示す図である。図７に示す複合ホース１２０は、分岐部５０を備えない点で上記の実施形態と異なる。
【００５１】
図７（ａ）に示すように、大ホース１０と合流部３０の間に遮断部４０が配置されている。図７（ａ）は、遮断部４０が例えば一般的なボール弁で構成され、ボール弁が開いた状態の断面を示している。遮断部４０が大ホース１０の流路を遮断する場合は、レバーハンドル４１を90度回転させる。
【００５２】
遮断部４０の排水側の端部と合流部３０の吸水側の端部（凸部３０ａ）は、短い大ホース１０を介して接続されている。なお、遮断部４０と合流部３０は一体化しても良い。一体化した場合は、短い大ホース１０は不要である。
【００５３】
小ホース２０は、合流部３０の吸水側に設けられた小ホース２０用の凸部３０ｂに、直接差し込まれて接続されている。小ホース２０と大ホース１０は、合流部３０に平行に接続される。
【００５４】
合流部３０は、吸水側に2つの凸部３０ａ，３０ｂを備える円筒である。合流部３０の径は、この例では大ホース１０の径と小ホース２０の径を合わせた径よりも大きい。合流部３０の排水側の端部は、その大きな径の排水ホース８０の一端に接続される。排水ホース８０の他端は排水ポンプ（図示せず）に接続される。
【００５５】
排水ホース８０及び合流部３０の外周は、外皮９０で包まれている。吸水側の大ホース１０と小ホース２０も同様に外皮９０で包まれて一体化されている。
【００５６】
図７（ｂ）は、図７（ａ）に示すＡ−Ａ線に沿う模式的断面図である。合流部３０の凸部３０ａが大ホース１０に挿入され、凸部３０ｂが小ホースに挿入されている。大ホース１０と小ホース２０が外皮９０によって一体化されている様子が分かる。
【００５７】
以上説明したように、複合ホースは、分岐部５０（図１）を備えなくても構成することができる。分岐部５０が無くなることで、分岐部５０から分岐するホースが邪魔にならない。よって、複合ホース１２０を巻いて収納することができ、複合ホースの収納を容易にする効果が得られる。
【００５８】
（変形例）
図８は、複合ホース１２０の変形例を示す図である。図８は図７（ｂ）に対応する図である。
【００５９】
図８に示すように小ホースの断面は、大ホース１０の外径に沿う扁平な形状にしても良い。小ホース２０の断面を扁平にすることで、複合ホース１２０の外径（外皮９０）を小さくすることができる。
【００６０】
なお、小ホース２０の全部の断面を扁平にしなくても良い。小ホース２０の一部の断面を大ホース１０の外径に沿う扁平な形状にすれば良い。
【００６１】
複合ホース１２０を巻いて収納する場合は、その一部の外径が小さければ全部を巻いた複合ホース１２０の巻き径を小さくすることができる。
【００６２】
〔第４実施形態〕
図９は、本発明の第４実施形態に係る複合ホースの吸水側の先端部分の構造の断面を模式的に示す図である。図９に示す複合ホース１３０は、濾過部９５を備える点で上記の実施形態と異なる。
【００６３】
図９に示すように、濾過部９５は、例えば大ホース１０の吸水側の端部に嵌めて固定される。濾過部９５は、大ホース１０と小ホース２０の吸水側の先端部分を覆う。図９は、延長部分２０ａが下方向を向いているように、大ホース１０が垂直の姿勢を例示する。
【００６４】
濾過部９５は、一般的にストレーナーと称され、液体に含まれる固形物を濾過する。濾過部９５に空けられた孔の大きさは、小ホース２０の延長部分２０ａの先端部分の孔の大きさよりも小さい。また、この例の濾過部９５は、先端部分が凸形状である。
【００６５】
そうすることで、小ホース２０及び大ホース１０が。固形物で詰まってしまうことを防止する効果が得られる。また、延長部分２０ａは、保持部１１と吸水側で対向する濾過部９５との間隔Ｌ１１９５よりも短い長さＬ２０ａである。これにより、大ホース１０と小ホース２０の吸水側の先端部分の姿勢をどのように変化させても、延長部分２０ａの先端が濾過部９５に当たって折れ曲がることがない。その結果、延長部分２０ａが折れ曲がって、吸排水した後に残る液体の量が増加することを防止できる。
【００６６】
以上説明したように、本実施形態に係る複合ホース１００，１１０，１２０，１３０によれば、吸排水した後に残る液体の量を少なくすることができる。また、複合ホース１１０によれば、小ホース２０の内部の液体を逆流させないので、吸排水した後に残る液体の量を最小にすることができる。また、複合ホース１１０によれば、不意に液体が逆流することがないので、吸排水作業の安全性を向上させることができる。
【００６７】
なお、複合ホース１２０及び１３０の構成は、複合ホース１００及び１１０に適用することが可能である。また、複合ホース１１０において、逆流防止弁６０はボール弁６４を備える例を説明したがこの例に限定されない。逆流防止弁６０は、一般的なスイング式又はディスク式の弁で構成しても良い。
【００６８】
このように本発明は、ここでは記載していない様々な実施形態等を含む。したがって、本発明の技術的範囲は上記の説明から妥当な特許請求の範囲に係る発明特定事項によってのみ定められるものである。
【符号の説明】
【００６９】
１：マンホールの底
２：水（液体）
１０：大ホース
２０：小ホース
３０：合流部
３０ａ：凸部（大ホース）
３０ｂ：凸部（小ホース）
４０：遮断部
４１：レバーハンドル
５０：分岐部
６０：逆流防止弁
６１：大径部
６２：小径部
６３：傾斜部
６４：ボール弁
６５：移動留め部材
７０：錘
８０：排水ホース
９０：外皮
９５：濾過部
１００，１１０，１２０，１３０：複合ホース
Ｄ１０：大ホースの外径
Ｄ２０：小ホースの外径
ｄ１０：大ホースの内径
【図１】
2020159515.tif 000003
【図２】
2020159515.tif 000004
【図３】
2020159515.tif 000005
【図４】
2020159515.tif 000006
【図５】
2020159515.tif 000007
【図６】
2020159515.tif 000008
【図７】
2020159515.tif 000009
【図８】
2020159515.tif 000010
【図９】
2020159515.tif 000011
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
排水側に接続される排水ポンプの動作により吸水側より吸水する複合ホースであって、
太ホースと、
前記太ホースよりも内径の小さな細ホースと、
前記太ホースと前記細ホースのそれぞれの流路を合流させる合流部と、
前記合流部よりも吸水側で前記太ホースの流路を遮断する遮断部と、
前記排水ポンプを停止した場合に前記細ホースの流路を遮断する逆流防止弁と
を備えることを特徴とする複合ホース。
【請求項２】
前記逆流防止弁は、
前記細ホースの吸水側の先端部分又は前記太ホースの吸水側の先端と一致する前記細ホースの部分に配置される
ことを特徴とする請求項１に記載の複合ホース。
【請求項３】
前記逆流防止弁は、錘を備える
ことを特徴とする請求項１又は２に記載の複合ホース。
【請求項４】
前記太ホースの吸水側の先端部に前記細ホースを保持する保持部が設けられ、
前記細ホースは、前記保持部から下方向に延長される曲がりやすい素材の延長部分を
備えることを特徴とする請求項１乃至３の何れかに記載の複合ホース。
【請求項５】
前記延長部分は、
吸水側の先端の外側の部分が前記太ホースの最下部の外側の位置に達する長さである
ことを特徴とする請求項４に記載の複合ホース。
【請求項６】
前記太ホースと前記延長部分の先端部分を覆う濾過部を備え、
前記濾過部に空けられた孔の大きさは、前記延長部分の先端部分の孔の大きさよりも小さい
ことを特徴とする請求項４又は５に記載の複合ホース。
【手続補正２】
【補正対象書類名】明細書
【補正対象項目名】０００６
【補正方法】変更
【補正の内容】
【０００６】
本発明の一態様に係る複合ホースは、排水側に接続される排水ポンプの動作により吸水側より吸水する複合ホースであって、太ホースと、前記太ホースよりも内径の小さな細ホースと、前記太ホースと前記細ホースのそれぞれの流路を合流させる合流部と、前記合流部よりも吸水側で前記太ホースの流路を遮断する遮断部と、前記排水ポンプを停止した場合に前記細ホースの流路を遮断する逆流防止弁とを備えることを要旨とする。
【手続補正３】
【補正対象書類名】明細書
【補正対象項目名】００６５
【補正方法】変更
【補正の内容】
【００６５】
そうすることで、小ホース２０及び大ホース１０が固形物で詰まってしまうことを防止する効果が得られる。また、延長部分２０ａは、保持部１１と吸水側で対向する濾過部９５との間隔Ｌ１１９５よりも短い長さＬ２０ａである。これにより、大ホース１０と小ホース２０の吸水側の先端部分の姿勢をどのように変化させても、延長部分２０ａの先端が濾過部９５に当たって折れ曲がることがない。その結果、延長部分２０ａが折れ曲がって、吸排水した後に残る液体の量が増加することを防止できる。